(57)【要約】【課題】操作性を良くすることができる操作装置を提供する。【解決手段】操作装置としての空調操作装置１は、つまみになされた第１の操作方向、及び第２の操作方向の操作によって設定対象の設定値の増減を指示するトグルスイッチと、つまみの第１の面、及び第１の面の反対の第２の面に接触する操作指を検出してつまみの操作の仕方を検出するタッチ検出部１８と、つまみになされた操作方向、及び検出された操作の仕方の組み合わせに基づいて設定値の設定量を変更するように制御する制御部２０と、を備えて概略構成されている。【選択図】図４
2018060262.tif 000002
【特許請求の範囲】
【請求項１】
つまみになされた第１の操作方向、及び前記第１の操作方向の反対の第２の操作方向の操作によって設定対象の設定値の増減を指示するトグルスイッチと、
前記つまみの第１の面、及び前記第１の面の反対の第２の面に接触する操作指を検出して前記つまみの操作の仕方を検出する検出部と、
前記つまみになされた操作方向、及び検出された前記操作の仕方の組み合わせに基づいて前記設定値の設定量を変更するように制御する制御部と、
を備えた操作装置。
【請求項２】
前記検出部は、前記つまみの操作の仕方として前記第１の面を前記第２の操作方向、又は前記第２の面を前記第１の操作方向に押す第１の操作、及び前記第１の操作方向及び前記第２の操作方向に前記つまみを摘まんで行われる第２の操作を検出する、
請求項１に記載の操作装置。
【請求項３】
前記制御部は、前記第１の操作が検出された場合、前記つまみになされた操作の方向に応じて基準設定量で前記設定値が増減する制御信号を出力し、
前記第２の操作が検出された場合、前記つまみになされた操作の方向に応じて前記基準設定量よりも多い設定量で前記設定値が増減する制御信号を出力する、
請求項２に記載の操作装置。
【請求項４】
前記第１の面及び前記第２の面が一列に並ぶように複数のトグルスイッチが配置され、
前記制御部は、前記複数のトグルスイッチごとの前記検出部の検出結果に基づいて複数の前記第１の面、及び複数の前記第２の面に亘ってなぞり操作がなされたか否かを判定する、
請求項１乃至３のいずれか１項に記載の操作装置。
【発明の詳細な説明】
【技術分野】
【０００１】
本発明は、操作装置に関する。
【背景技術】
【０００２】
従来の技術として、電気機器の操作を指示するためのスライドバーが表示されたパネルと、パネルに形成され、スライドバーへの接触を検知するタッチセンサと、タッチセンサに接続され、接触に基づいて電気機器を操作する操作信号を出力する制御手段と、を備えたタッチスイッチモジュールが知られている（例えば、特許文献１参照。）。
【０００３】
このタッチスイッチモジュールは、車両に搭載された空調装置を操作するものであり、スライドバーが指で操作されることで車室内に吹き出す風の温度を上下させる。
【先行技術文献】
【特許文献】
【０００４】
【特許文献１】特開２０１５−６２０９４号公報
【発明の概要】
【発明が解決しようとする課題】
【０００５】
しかし従来のタッチスイッチモジュールは、操作量に対して変化した設定量が分かり難く、操作性が良くない。
【０００６】
従って本発明の目的は、操作性を良くすることができる操作装置を提供することにある。
【課題を解決するための手段】
【０００７】
本発明の一態様は、つまみになされた第１の操作方向、及び第１の操作方向の反対の第２の操作方向の操作によって設定対象の設定値の増減を指示するトグルスイッチと、つまみの第１の面、及び第１の面の反対の第２の面に接触する操作指を検出してつまみの操作の仕方を検出する検出部と、つまみになされた操作方向、及び検出された操作の仕方の組み合わせに基づいて設定値の設定量を変更するように制御する制御部と、を備えた操作装置を提供する。
【発明の効果】
【０００８】
本発明によれば、操作性を良くすることができる。
【図面の簡単な説明】
【０００９】
【図１】図１（ａ）は、第１の実施の形態に係る空調操作装置の一例を示す概略図であり、図１（ｂ）は、トグルスイッチの一例を説明するための概略図である。
【図２】図２は、第１の実施の形態に係る空調操作装置の一例を示すブロック図である。
【図３】図３（ａ）は、第１の実施の形態に係る空調操作装置のつまみを摘まんで行う第２の操作の一例を説明するための概略図であり、図３（ｂ）は、空調操作装置のなぞり操作の一例を説明するための概略図である。
【図４】図４（ａ）及び図４（ｂ）は、第１の実施の形態に係る空調操作装置のつまみの一面を押し上げたり押し下げたりして行われる第１の操作の一例を示す概略図であり、図４（ｃ）及び図４（ｄ）は、つまみの上面及び下面を摘まんで上下に行われる第２の操作の一例を示す概略図である。
【図５】図５は、第１の実施の形態に係る空調操作装置の動作の一例を示すフローチャートである。
【図６】図６（ａ）は、第２の実施の形態に係る空調操作装置の一例を示す概略図であり、図６（ｂ）は、空調操作装置の一例を示すブロック図である。
【図７】図７（ａ）は、第２の実施の形態に係る空調操作装置のつまみを摘まんで行う第２の操作の一例を説明するための概略図であり、図７（ｂ）は、空調操作装置のなぞり操作の一例を説明するための概略図である。
【発明を実施するための形態】
【００１０】
（実施の形態の要約）
実施の形態に係る操作装置は、つまみになされた第１の操作方向、及び第１の操作方向の反対の第２の操作方向の操作によって設定対象の設定値の増減を指示するトグルスイッチと、つまみの第１の面、及び第１の面の反対の第２の面に接触する操作指を検出してつまみの操作の仕方を検出する検出部と、つまみになされた操作方向、及び検出された操作の仕方の組み合わせに基づいて設定値の設定量を変更するように制御する制御部と、を備えて概略構成されている。
【００１１】
この操作装置は、つまみの操作の仕方によって設定値の設定量が変更されるので、この構成を採用しない場合と比べて、操作者の意図した設定量で設定値を設定し易く、操作性が良い。
【００１２】
[第１の実施の形態]
（空調操作装置１の概要）
図１（ａ）は、第１の実施の形態に係る空調操作装置の一例を示す概略図であり、図１（ｂ）は、トグルスイッチの一例を説明するための概略図である。図２は、第１の実施の形態に係る空調操作装置の一例を示すブロック図である。図３（ａ）は、第１の実施の形態に係る空調操作装置のつまみを摘まんで行う第２の操作の一例を説明するための概略図であり、図３（ｂ）は、空調操作装置のなぞり操作の一例を説明するための概略図である。図４（ａ）及び図４（ｂ）は、第１の実施の形態に係る空調操作装置のつまみの一面を押し上げたり押し下げたりして行われる第１の操作の一例を示す概略図であり、図４（ｃ）及び図４（ｄ）は、つまみの上面及び下面を摘まんで上下に行われる第２の操作の一例を示す概略図である。
【００１３】
なお、以下に記載する実施の形態に係る各図において、図形間の比率は、実際の比率とは異なる場合がある。また図２では、主な信号の流れを矢印で示している。
【００１４】
空調操作装置１は、例えば、車両の空調装置８を操作するための操作装置である。この空調操作装置１は、例えば、運転席に着座する操作者の左斜め前方に位置するセンターコンソールに配置される。空調操作装置１は、例えば、図１（ａ）及び図２に示すように、表示部１０と、スイッチ部１２と、検出部としてのタッチ検出部１８と、制御部２０と、を備えて概略構成されている。
【００１５】
この空調操作装置１は、図１（ａ）に示すように、第１の面としての上面、及び第２の面としての下面が面一で一列に並ぶように複数のトグルスイッチ（第１のトグルＳＷ１３〜第４のトグルＳＷ１６）が配置されている。
【００１６】
（表示部１０の構成）
表示部１０は、例えば、液晶ディスプレイである。この表示部１０には、助手席側の設定温度を表示する設定温度表示領域１０１と、運転席側の設定温度を表示する設定温度表示領域１０２と、風量を表示する風量表示領域１０３と、を備えている。
【００１７】
設定温度表示領域１０１及び設定温度表示領域１０２は、領域の中央に設定されている設定温度が数字として表示される。助手席側の設定温度は、スイッチ部１２の第１のトグルＳＷ１３によって設定される。また運転席側の設定温度は、スイッチ部１２の第４のトグルＳＷ１６によって設定される。この設定温度とは、空調装置８が吹き出し口から送出する空気の温度である。
【００１８】
風量表示領域１０３は、内円と外円で囲まれた領域をいくつかの領域に分け、点灯した領域の数によって風量を表現するように構成されている。この内円の中央には、風量を示すマークが表示されている。この風量は、空調装置８が送出する空気の風量であり、スイッチ部１２になされたなぞり操作のなぞり量によって設定される。
【００１９】
表示部１０は、例えば、制御部２０から出力される表示信号Ｓ１によって設定温度や風量などの表示を変えるように構成されている。
【００２０】
（スイッチ部１２の構成）
スイッチ部１２は、例えば、図１（ａ）に示すように、表示部１０の下側に配置されている。このスイッチ部１２は、表示部１０の下側から突出して複数のつまみが一列に並んでいる。
【００２１】
スイッチ部１２は、例えば、図１（ａ）に示すように、第１のトグルＳＷ１３〜第４のトグルＳＷ１６を備えている。この第１のトグルＳＷ１３及び第４のトグルＳＷ１６は、例えば、つまみになされた第１の操作方向、及び第１の操作方向の反対の第２の操作方向の操作によって設定対象の設定値の増減を指示するように構成されている。
【００２２】
この第１の操作方向とは、図１（ｂ）の紙面において矢印Ａ方向、すなわち上方向である。また第２の操作方向とは、矢印Ｂ方向、すなわち下方向である。この上下とは、例えば、空調操作装置１がセンターコンソールに配置される場合、車両の上下である。
【００２３】
第１のトグルＳＷ１３及び第４のトグルＳＷ１６は、上述のように、助手席側及び運転席側の設定温度を設定するためのスイッチである。第２のトグルＳＷ１４は、空気の吹出口を切り替えるためのスイッチである。第３のトグルＳＷ１５は、設定温度に従って風量などを調整するオートモードのオン、オフを切り替えるためのスイッチである。この第１のトグルＳＷ１３〜第４のトグルＳＷ１６の基本構成は、同じであるので、以下では、主に第１のトグルＳＷ１３を例に取ってスイッチの基本構成を説明する。
【００２４】
第１のトグルＳＷ１３は、例えば、図１（ｂ）に示すように、円柱形を有する本体１３０と、本体１３０の側面から径方向に突出するつまみ１３１と、を備えて概略構成されている。この本体１３０は、例えば、つまみ１３１の矢印Ａ方向及び矢印Ｂ方向の操作によって回転中心Ｒを中心として回転して元の中立位置に戻るようにされている。つまり第１のトグルＳＷ１３は、例えば、モーメンタリスイッチとして構成されている。
【００２５】
この矢印Ａ方向及び矢印Ｂ方向の操作の仕方は、例えば、図３（ａ）、図４（ａ）〜図４（ｄ）に示すように、つまみ１３１の上面１３２（第１の面）又は下面１３３（第２の面）を押すように操作する仕方（第１の操作）やつまみ１３１の上面１３２と下面１３３を摘まんで操作する仕方（第２の操作）がある。
【００２６】
つまみ１３１は、図３（ａ）に示すように、板形状を有している。第１のトグルＳＷ１３は、本体１３０の第１の操作方向又は第２の操作方向の回転によってオンしたことを示すスイッチ信号Ｓ２を制御部２０に出力する。同様に、第２のトグルＳＷ１４〜第４のトグルＳＷ１６は、スイッチ信号Ｓ３〜スイッチ信号Ｓ６を制御部２０に出力する。
【００２７】
（タッチ検出部１８の構成）
タッチ検出部１８は、つまみの操作の仕方として上面を第２の操作方向、又は下面を第１の操作方向に押す第１の操作、及び第１の操作方向及び第２の操作方向につまみを摘まんで行われる第２の操作を検出するように構成されている。
【００２８】
このタッチ検出部１８は、例えば、図２に示すように、上部タッチ検出部１３２ａ、下部タッチ検出部１３３ａ、上部タッチ検出部１４２ａ、下部タッチ検出部１４３ａ、上部タッチ検出部１５２ａ、下部タッチ検出部１５３ａ、上部タッチ検出部１６２ａ、及び下部タッチ検出部１６３ａを備えて概略構成されている。
【００２９】
タッチ検出部１８は、例えば、抵抗膜方式や静電容量方式などのタッチセンサを用いることができる。本実施の形態のタッチ検出部１８は、一例として、静電容量方式のタッチセンサである。各トグルＳＷの上部タッチ検出部及び下部タッチ検出部は、つまみの内側に配置された検出電極を有している。この検出電極は、例えば、銅などの金属膜をつまみの内側に蒸着することで形成されても良く、また検出電極が形成されたフィルムをつまみの内側に貼り付けることで配置されても良い。さらにタッチ検出部１８は、接触した操作指のつまみにおける位置を検出するように構成されても良い。
【００３０】
第１のトグルＳＷ１３は、図１（ａ）及び図１（ｂ）に示すように、上面１３２側に上部タッチ検出部１３２ａが配置され、下面１３３側に下部タッチ検出部１３３ａが配置されている。第２のトグルＳＷ１４は、上面１４２側に上部タッチ検出部１４２ａが配置され、下面１４３側に下部タッチ検出部１４３ａが配置されている。第３のトグルＳＷ１５は、上面１５２側に上部タッチ検出部１５２ａが配置され、下面１５３側に下部タッチ検出部１５３ａが配置されている。そして第４のトグルＳＷ１６は、上面１６２側に上部タッチ検出部１６２ａが配置され、下面１６３側に下部タッチ検出部１６３ａが配置されている。
【００３１】
上部タッチ検出部１３２ａ〜下部タッチ検出部１６３ａは、図２に示すように、検出信号Ｓ６〜検出信号Ｓ１３を制御部２０に出力する。この検出信号Ｓ６〜検出信号Ｓ１３は、操作指を検出したか否かを示す信号である。制御部２０は、この検出信号Ｓ６〜検出信号Ｓ１３に基づいて操作の仕方を判定する。
【００３２】
（制御部２０の構成）
制御部２０は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部２０が動作するためのプログラムと、制御テーブル２００と、が格納されている。ＲＡＭは、例えば、一時的に演算結果などを格納する記憶領域として用いられる。
【００３３】
制御テーブル２００は、例えば、空調装置８に出力する制御信号Ｓ１４に関するものである。制御テーブル２００は、例えば、操作の仕方と操作方向の組み合わせに応じた制御信号Ｓ１４が関連付けて記憶されている。
【００３４】
制御部２０は、上面又は下面を押す第１の操作が検出された場合、つまみになされた操作の方向に応じて基準設定量で設定値が増減する制御信号Ｓ１４を出力する。また制御部２０は、つまみを摘まんでなされた第２の操作が検出された場合、つまみになされた操作の方向に応じて基準設定量よりも多い設定量で設定値が増減する制御信号Ｓ１４を出力する。
【００３５】
なお変形例として制御部２０は、つまみを摘まむ操作が検出された場合、基準設定量で設定値が増減し、上面又は下面を押す操作が検出された場合、基準設定量よりも多い設定量で設定値を増減させても良い。
【００３６】
さらに変形例として空調操作装置１は、操作の仕方に応じて異なる機能を１つのトグルＳＷに割り当てても良い。また空調操作装置１は、第２のトグルＳＷ１４のようにモードの切り替えなどが割り当てられている場合、順番に切り替わるのではなく、操作の仕方によって１つ飛ばし、２つ飛ばしのように切り替わる制御信号Ｓ１４を出力するようにしても良い。
【００３７】
設定対象が設定温度である場合、つまみが第１の操作方向（矢印Ａ方向）に操作された際の基準設定量は、図４（ｂ）に示すように、一例として、＋１℃である。またつまみが第２の操作方向（矢印Ｂ方向）に操作された際の基準設定量は、図４（ａ）に示すように、一例として、−１℃である。
【００３８】
具体的には、操作者がつまみ１３１を操作指９０（親指）によって第１の操作方向（矢印Ａ方向）に操作した場合、制御部２０は、第１のトグルＳＷ１３から出力されたスイッチ信号Ｓ２に基づいて第１のトグルＳＷ１３が第１の操作方向に操作されたと判定すると共に、上部タッチ検出部１３２ａ及び下部タッチ検出部１３３ａの検出信号Ｓ６及び検出信号Ｓ７に基づいて操作指の検出を確認する。
【００３９】
制御部２０は、例えば、図４（ａ）に示すように、下部タッチ検出部１３３ａが操作指を検出していた場合、制御テーブル２００に基づいて第１の操作方向の操作と下部タッチ検出部１３３ａに対する操作との組み合わせに応じた制御信号Ｓ１４を生成し、空調装置８に出力する。空調装置８は、制御信号Ｓ１４に基づいて設定温度を基準設定量である＋１℃、アップさせる。
【００４０】
また操作者がつまみ１３１を操作指９１（人差指）によって第２の操作方向（矢印Ｂ方向）に操作した場合、制御部２０は、第１のトグルＳＷ１３が第２の操作方向に操作されたと判定すると共に、操作指の検出を確認する。
【００４１】
制御部２０は、例えば、図４（ｂ）に示すように、上部タッチ検出部１３２ａが操作指を検出していた場合、制御テーブル２００に基づいて第２の操作方向の操作と上部タッチ検出部１３２ａに対する操作との組み合わせに応じた制御信号Ｓ１４を生成し、空調装置８に出力する。空調装置８は、制御信号Ｓ１４に基づいて設定温度を基準設定量である−１℃、ダウンさせる。
【００４２】
また操作者が操作指９０及び操作指９１を使ってつまみ１３１を摘まんで第１の操作方向に操作した場合、制御部２０は、第１のトグルＳＷ１３から出力されたスイッチ信号Ｓ２に基づいて第１のトグルＳＷ１３が第１の操作方向に操作されたと判定すると共に、上部タッチ検出部１３２ａ及び下部タッチ検出部１３３ａの検出信号Ｓ６及び検出信号Ｓ７に基づいて操作指の検出を確認する。
【００４３】
制御部２０は、例えば、図４（ｃ）に示すように、上部タッチ検出部１３２ａ及び下部タッチ検出部１３３ａが操作指を検出していた場合、制御テーブル２００に基づいて第１の操作方向の操作と上部タッチ検出部１３２ａ及び下部タッチ検出部１３３ａに対する操作との組み合わせに応じた制御信号Ｓ１４を生成し、空調装置８に出力する。空調装置８は、制御信号Ｓ１４に基づいて設定温度を第１の操作方向の基準設定量（＋１℃）より上げ幅が大きい、＋３℃でアップさせる。
【００４４】
さらに操作者が操作指９０及び操作指９１を使ってつまみ１３１を摘まんで第２の操作方向に操作した場合、制御部２０は、第１のトグルＳＷ１３から出力されたスイッチ信号Ｓ２に基づいて第１のトグルＳＷ１３が第２の操作方向に操作されたと判定すると共に、上部タッチ検出部１３２ａ及び下部タッチ検出部１３３ａの検出信号Ｓ６及び検出信号Ｓ７に基づいて操作指の検出を確認する。
【００４５】
制御部２０は、例えば、図４（ｄ）に示すように、上部タッチ検出部１３２ａ及び下部タッチ検出部１３３ａが操作指を検出していた場合、制御テーブル２００に基づいて第２の操作方向の操作と上部タッチ検出部１３２ａ及び下部タッチ検出部１３３ａに対する操作との組み合わせに応じた制御信号Ｓ１４を生成し、空調装置８に出力する。空調装置８は、制御信号Ｓ１４に基づいて設定温度を第２の操作方向の基準設定量（−１℃）より下げ幅が大きい、−３℃でダウンさせる。
【００４６】
ここで図３（ｂ）に示すように、第１のトグルＳＷ１３〜第４のトグルＳＷ１６は、それぞれの上面及び下面が面一となるように一列に並んでいる。操作者は、この上面又は下面に対してなぞり操作を行うことができる。
【００４７】
制御部２０は、第１のトグルＳＷ１３〜第４のトグルＳＷ１６ごとのタッチ検出部１８の検出結果に基づいて複数の上面、又は複数の下面に亘ってなぞり操作がなされたか否かを判定するように構成されている。
【００４８】
本実施の形態では、なぞり操作によって風量が設定される。例えば、図３（ｂ）の矢印Ｃ方向になぞり操作が行われた場合、なぞり量に応じて風量が小さくなる。また図３（ｂ）の矢印Ｄ方向になぞり操作が行われた場合、なぞり量に応じて風量が大きくなる。このなぞり量は、例えば、なぞり操作を検出したトグルＳＷの数によって定められる。
【００４９】
なおタッチ検出部１８が接触位置を検出するように構成されている場合、なぞった距離によってなぞり量が定められる。変形例として空調操作装置１は、トグルＳＷの下面をなぞる操作、及び上面と下面を摘まんでなぞる操作によって設定対象の設定量を変える制御信号Ｓ１４を出力するように構成されても良い。また空調操作装置１は、上面と下面を摘まんで行われるなぞり操作に風量の調整と異なる機能を割り当てても良い。
【００５０】
以下に本実施の形態の空調操作装置１の動作の一例について図５のフローチャートに従って説明する。ここでは、第１のトグルＳＷ１３が操作される場合について説明する。
【００５１】
（動作）
空調操作装置１の制御部２０は、スイッチ部１２からスイッチ信号を取得すると共に、タッチ検出部１８から検出信号を取得してトグルＳＷが操作されるか否かを監視する。
【００５２】
制御部２０は、ステップ１の「Ｙｅｓ」が成立する、つまりスイッチ信号Ｓ２に基づいて第１のトグルＳＷ１３が第１の操作方向又は第２の操作方向に操作された場合（Ｓｔｅｐ１：Ｙｅｓ）、スイッチ信号Ｓ２に基づいて操作方向を判定すると共に、検出信号Ｓ６及び検出信号Ｓ７に基づいて操作の仕方を判定する（Ｓｔｅｐ２）。
【００５３】
制御部２０は、上部タッチ検出部１３２ａ又は下部タッチ検出部１３３ａが操作指を検出している場合、上面又は下面を押す第１の操作がなされたと判定する（Ｓｔｅｐ３：Ｙｅｓ）。制御部２０は、操作方向と操作の仕方（第１の操作）の組み合わせと制御テーブル２００に基づいて基準設定量で設定値を変更すると判定し、制御信号Ｓ１４を生成して空調装置８に出力して設定値変更の動作を終了する（Ｓｔｅｐ４）。
【００５４】
ここでステップ３において制御部２０は、つまみ１３１を摘まんで第２の操作がなされたと判定した場合（Ｓｔｅｐ３：Ｎｏ）、操作方向と操作の仕方（第２の操作方向）の組み合わせと制御テーブル２００に基づいて基準設定量よりも多い設定量で設定値がアップ又はダウンする制御信号Ｓ１４を生成して空調装置８に出力して設定値変更の動作を終了する（Ｓｔｅｐ５）。
【００５５】
（第１の実施の形態の効果）
本実施の形態に係る空調操作装置１は、操作性を良くすることができる。具体的には、空調操作装置１は、操作者の操作の仕方によって設定対象の設定値の設定量が変更されるので、この構成を採用しない場合と比べて、操作者の意図した設定量で設定値を設定し易く、操作性が良い。
【００５６】
空調操作装置１は、１つのトグルＳＷに複数の機能を割り当てることができるので、スイッチの数を減らし、製造コストを抑制することができる。また空調操作装置１は、１つのトグルＳＷに複数の機能を割り当てることができるので、スイッチの数が減って高さが薄くなり、小型化することができる。
【００５７】
空調操作装置１は、タッチ検出部１８を設けることで、トグルＳＷの操作の仕方、及び上面や下面のなぞり操作を検出して設定値などを変更することができるので、この構成を採用しない場合と比べて、より多くの機能をスイッチ部１２に割り当てることができ、より小型化することができる。
【００５８】
［第２の実施の形態］
第２の実施の形態は、スイッチ部１２が１つのトグルＳＷを有する点で第１の実施の形態と異なっている。
【００５９】
図６（ａ）は、第２の実施の形態に係る空調操作装置の一例を示す概略図であり、図６（ｂ）は、空調操作装置の一例を示すブロック図である。図７（ａ）は、第２の実施の形態に係る空調操作装置のつまみを摘まんで行う第２の操作の一例を説明するための概略図であり、図７（ｂ）は、空調操作装置のなぞり操作の一例を説明するための概略図である。図７（ａ）は、操作指９０（親指）及び操作指９１（人差指）によってつまみ１７１の上面１７２及び下面１７３を摘まんで行う第２の操作を示している。また図７（ｂ）は、操作指９１によって上面１７２に行うなぞり操作を示している。
【００６０】
なお以下に記載する実施の形態において、第１の実施の形態と同じ機能及び構成を有する部分は、第１の実施の形態と同じ符号を付し、その説明は省略するものとする。
【００６１】
本実施の形態の空調操作装置１は、例えば、図６（ａ）〜図７（ａ）に示すように、表示部１０と、スイッチ部１２と、タッチ検出部１８と、制御部２０と、を備えて概略構成されている。
【００６２】
表示部１０には、設定温度表示領域１０５に設定温度が表示され、風量表示領域１０６に風量が表示されている。
【００６３】
スイッチ部１２は、表示部１０に合わせて横に長いトグルＳＷ１７を有している。このトグルＳＷ１７は、図７（ａ）に示すように、トグルＳＷ１７のつまみ１７１を押し上げたり、押し下げたりする第１の操作、及びつまみ１７１を摘まんで行う第２の操作によって矢印Ａ方向（第１の操作方向）及び矢印Ｂ方向（第２の操作方向）に操作することが可能となっている。
【００６４】
このトグルＳＷ１７は、第１の操作方向又は第２の操作方向の回転によってオンしたことを示すスイッチ信号Ｓ１５を制御部２０に出力する。
【００６５】
またトグルＳＷ１７は、図７（ｂ）に示すように、つまみ１７１の上面１７２上をなぞり操作することができるように構成されている。
【００６６】
タッチ検出部１８は、トグルＳＷ１７の上面１７２側に配置された上部タッチ検出部１７２ａと、下面１７３側に配置された下部タッチ検出部１７３ａと、を有している。この上部タッチ検出部１７２ａ及び下部タッチ検出部１７３ａは、例えば、静電容量方式のタッチセンサである。
【００６７】
少なくとも上部タッチ検出部１７２ａは、操作指のなぞり操作を検出するように構成されている。そして上部タッチ検出部１７２ａは、例えば、複数の検出電極が一列に並んだ構成を有している。また下部タッチ検出部１７３ａがなぞり操作を検出しない場合、接触を検出するように１枚の検出電極で構成される。
【００６８】
この上部タッチ検出部１７２ａは、操作指の位置に応じた検出信号Ｓ１６を制御部２０に出力する。また下部タッチ検出部１７３ａは、操作指の接触の有無を示す検出信号Ｓ１７を制御部２０に出力する。
【００６９】
制御部２０は、上面１７２又は下面１７３を押す第１の操作が検出された場合、つまみ１７１になされた操作の方向に応じて基準設定量で設定値が増減する制御信号Ｓ１４を出力する。また制御部２０は、つまみ１７１を摘まんでなされた第２の操作が検出された場合、つまみ１７１になされた操作の方向に応じて基準設定量よりも多い設定量で設定値が増減する制御信号Ｓ１４を出力する。
【００７０】
具体的には、設定対象が設定温度である場合、つまみが第１の操作方向（矢印Ａ方向）に操作された際の基準設定量は、一例として、＋１℃である。またつまみが第２の操作方向（矢印Ｂ方向）に操作された際の基準設定量は、一例として、−１℃である。
【００７１】
また制御部２０は、つまみ１７１を摘まむ第２の操作が第１の操作方向に行われた場合、一例として、基準設定量（＋１℃）より上げ幅が大きい、＋３℃で設定温度をアップさせる制御信号Ｓ１４を空調装置８に出力する。さらに制御部２０は、つまみ１７１を摘まむ第２の操作が第２の操作方向に行われた場合、一例として、基準設定量（−１℃）より下げ幅が大きい、−３℃で設定温度をダウンさせる制御信号Ｓ１４を空調装置８に出力する。
【００７２】
制御部２０は、トグルＳＷ１７になぞり操作が行われた場合、なぞり量に応じた制御信号Ｓ１４が空調装置８に出力される。なお空調操作装置１は、上面１７２及び下面１７３を摘まんで行われたなぞり操作によって上面１７２のみをなぞった場合よりも上げ下げの幅が大きい設定量で風量を調整するようにしても良いし、風量と異なる機能を割り当てても良い。
【００７３】
本実施の形態の空調操作装置１は、１つのトグルＳＷ１７によって設定温度と風量を設定することができると共に、スイッチ間の見切りがないので意匠に優れている。
【００７４】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７５】
１…空調操作装置、８…空調装置、１０…表示部、１２…スイッチ部、１８…タッチ検出部、１８…検出部、２０…制御部、９０…操作指、９１…操作指、１０１…設定温度表示領域、１０２…設定温度表示領域、１０３…風量表示領域、１０５…設定温度表示領域、１０６…風量表示領域、１３０…本体、１３２…上面、１３２ａ…上部タッチ検出部、１３３…下面、１３３ａ…下部タッチ検出部、１４２…上面、１４２ａ…上部タッチ検出部、１４３…下面、１４３ａ…下部タッチ検出部、１５２…上面、１５２ａ…上部タッチ検出部、１５３…下面、１５３ａ…下部タッチ検出部、１６２…上面、１６２ａ…上部タッチ検出部、１６３…下面、１６３ａ…下部タッチ検出部、１７２…上面、１７２ａ…上部タッチ検出部、１７３…下面、１７３ａ…下部タッチ検出部、２００…制御テーブル
【図１】
2018060262.tif 000003
【図２】
2018060262.tif 000004
【図３】
2018060262.tif 000005
【図４】
2018060262.tif 000006
【図５】
2018060262.tif 000007
【図６】
2018060262.tif 000008
【図７】
2018060262.tif 000009